(57)【要約】【課題】  可搬性が利点のリムーバブルハードディスクドライブ対応機器で、標準的な光ディスクを利用すること。【解決手段】  必要十分な容量を確保した小径の光ディスクを記録媒体として用いて、かつ、前記リムーバブルハードディスクドライブ用カートリッジに対するコネクタに接続可能とする。【選択図】図１
2005310294.tif 000002
【特許請求の範囲】
【請求項１】
リムーバブルハードディスクと接続可能で該リムーバブルハードディスクへ情報を記録及び／又は再生可能な情報記録及び／又は再生装置であって、
カートリッジにディスクを組み込み、該カートリッジを前記リムーバブルハードディスクとのコネクタに接続可能とし、前記ディスクへ情報を記録及び／又は再生可能としたことを特徴とする情報記録及び／又は再生装置。
【請求項２】
情報を記録保持することが可能な、リムーバブルハードディスクドライブ用のカートリッジに、交換可能なディスクと、前記ディスクへの情報読み出し書き込み可能な装置を含み、前記リムーバブルハードディスクドライブとして情報の書き込みや読み出しといった操作に互換性を持つことを特徴とする情報記録及び／又は再生装置。
【請求項３】
請求項１又は２に記載の情報記録及び／又は再生装置において、
交換および、記録再生可能なディスクが、CD(Compact Disc)、DVD(Digital Versatile Disc)、Blu-ray Discと言ったディスクにおいて、共通のクランパ(ディスクを駆動するために中心で固定のため挟み込むもの)サイズで対応できるディスクであることを特徴とする情報記録及び／又は再生装置。
【請求項４】
請求項１乃至３のいずれかに記載の情報記録及び／又は再生装置において、
交換および、記録再生可能なディスクの直径が、65mm以上で70mm以下のディスクであることを特徴とする情報記録及び／又は再生装置。
【請求項５】
請求項１乃至４のいずれかに記載の情報記録及び／又は再生装置において、
そのインタフェースに、例えば、iVDR(Information Versatile Disk for Removable usage)と言った業界標準のリムーバブルハードディスクで採用されているものと電気的に互換性のあるインタフェースを有することを特徴とする情報記録及び／又は再生装置。
【請求項６】
請求項１乃至５のいずれかに記載の情報記録及び／又は再生装置において、
カートリッジの外形寸法が、例えば、iVDR(Information Versatile Disk for Removable usage)と言った業界標準のリムーバブルハードディスクと同じで互換性の形状であることを特徴とする情報記録及び／又は再生装置。
【請求項７】
請求項１乃至６のいずれかに記載の情報記録及び／又は再生装置において、
交換および、記録再生可能なディスクが、ディスク用カートリッジに格納したままでも使用あるいは換装することが可能なことを特徴とする情報記録及び／又は再生装置。
【請求項８】
請求項１乃至６のいずれかに記載の情報記録及び／又は再生装置において、
交換および、記録再生可能なディスクが、ディスク用カートリッジに格納せずに使用することが可能なことを特徴とする情報記録及び／又は再生装置。
【発明の詳細な説明】
【技術分野】
【０００１】
本発明は、情報の記録再生に関し、特に、ハードディスクや、光ディスクに関するものである。
【背景技術】
【０００２】
近年、家電、AV(Audio Visual)、車載、PCに関連する様々な機器の性能が向上し、それらの機器で扱われる情報量も年々増大している。記録媒体にも、CD、DVDと言った赤色レーザを利用した光ディスク、Blu-ray Discといった青色レーザを利用した光ディスクが使用されるようになった。その一方で、PC等を中心に使用されてきたハードディスクについても、レコーダと言ったAV機器での利用も広がってきた。
【０００３】
そんな中、光ディスクだけでなく、ハードディスクもリムーバブルなカートリッジを採用し、インタフェースを共通化して様々な機器での利用を可能とするための標準化が進んでいる。
【０００４】
前記リムーバブルハードディスクドライブでは、ハードディスクドライブをカートリッジ型で提供することを前提としているため、ハードディスクを記録媒体として利用することが前提の領域での利用に限られてしまう問題があった。
【０００５】
以前、同様の問題が、PCで多く利用され始めていたPCMCIA規格のカードに関してあり、その改善策として、小型(直径50mm以下)のディスクを交換可能な記録媒体として利用するものが発明された。だが、前記改善策で利用されたディスクは標準化されたものでなく、また、ディスクの径が小径なため、記録容量が十分とはいえなかった。。
【０００６】
【特許文献１】特開平１０−１９９２１９号公報
【特許文献２】特開平１１−１６２１４２号公報
【発明の開示】
【発明が解決しようとする課題】
【０００７】
解決しようとする問題点は、可搬性が利点のリムーバブルハードディスク対応機器で、標準的な光ディスクを利用できないことである。
【課題を解決するための手段】
【０００８】
本発明は、必要十分な容量を確保した小径の光ディスクを記録媒体として用いて、かつ、前記リムーバブルハードディスクドライブ用カートリッジに対するコネクタに接続可能とすることが、主要な特徴である。
【発明の効果】
【０００９】
本発明により、使い勝手の向上した情報記録及び／又は再生装置を提供することができる。
【発明を実施するための最良の形態】
【００１０】
以下、図面を用いて、実施例を説明する。
【実施例１】
【００１１】
図１は、本発明装置の１実施例の透過図である。図１において、１００は本発明装置のリムーバブルカートリッジ（以下、カートリッジと称す）を示し、１０１は本発明装置で使用される光ディスク媒体を示す。１０２は、本発明装置を装着して利用する際に接続されるコネクタを示し、１０３は、本発明装置を実現する電子部品を実装する基板を示し、１０４は、基板１０３や、ディスクを駆動するためのモーター、ピックアップ等の部品を実装するシャーシを示す。１０５は、ディスクの情報を読み込み書き込みを行うためのピックアップを示し、１０６は、ディスクを固定するクランパを示し、この下部が、駆動モーターへ接続されている（図中の寸法は、標準化されているリムーバブルハードディスクドライブカートリッジのサイズの例を示している）。なお、クランパのサイズは、光ディスクで使用されている標準的なもので実現している。
【００１２】
図２は、本発明装置の利用形態について示したものである。図２において、２００は、本発明装置を利用する機器本体を示し、AV機器や、車載機器や、PC等である。図２（A）において、２０１は本発明装置のカートリッジ装着用のスロットを示し、ここへ、本発明装置１００であるカートリッジを装着して、図２（B）に示した形態で利用する。図は説明のためカートリッジが少し機器本体２００から突出しているが、機器本体２００のデザインによっては、表面が平面になるような形態もありえるし、機器本体２００の内部へ全て入った状態で利用されることもありえる。
【００１３】
図３は、本発明装置での光ディスク媒体の装着形態の例を示したものである。図３において、３００は、本発明装置のカートリッジを示す。図３（A）において、３０１は光ディスクを示し、３０２は光ディスク３０１を格納するためのディスクカートリッジを示す。その他図３（B）〜（D）は光ディスクカートリッジ３０２を利用しない形態の例を示す。このように、本発明装置では、光ディスクカートリッジを利用する場合と、利用しない場合の両方での形態に対応が可能である。
【００１４】
図３（B）において、３０１は光ディスクを示し、３０３は、光ディスク装着時に開閉する蓋を示す。ユーザは、光ディスク３０１を装着時に、蓋３０３を上部へ開き、光ディスク３０１のクランパ固定用の中心位置を合わせ設置し、蓋３０３を閉じることでクランパにより光ディスク３０１が固定される。
【００１５】
図３（C）において、３０１は光ディスクを示し、ユーザが本発明装置の開口部へ一定量挿入することで、自動的に装填されるフロントローディング方式による利用形態を示す。光ディスク３０１を取り出す際には、ユーザ操作により、取り出しボタン（図示せず）を押すことで光ディスク３０１が排出される形態が一般的である。
【００１６】
図３（D）において、３０１は光ディスクを示し、３０４は光ディスク３０１用ディスクトレイを示す。ユーザが、本発明装置の取り出しボタン（図示せず）を押すことでディスクトレイ３０４がスライドして本発明装置３００から出てくる。これに光ディスク３０１を乗せ、ディスクトレイを一定量押し込むか、取り出しボタンを再度押すことで、本発明装置３００へ光ディスク３０１が装填される。
【００１７】
以上、本発明装置での光ディスクの利用形態についての説明した。次に、本発明装置で利用される光ディスクの径について説明する。図４に、一般的なハイビジョンあるいは、標準のテレビや、ビデオの映像のモード（一般的には画質による設定を示す）と、記録時間について示す。
【００１８】
これは、青色レーザを利用した標準的な光ディスクにおいて、直径65mm〜70mmでの記録領域から算出されるデータ容量と、映像のモードによる標準的なMPEG(Moving Picture Experts Group)圧縮方式におけるビットレート（１秒あたりのビット量で示される）により算出例である。
【００１９】
図４に示したように、映像を扱う機器向けとして妥当な値である。従来より利用されている、約120mmや、約80mmと言った標準的な直径の光ディスク媒体を利用できない、リムーバブルな小型の装置でも利用でき、記録容量のバランスのとれた径を持つ光ディスク媒体として広く活用できる利点があり、有効である。
【００２０】
図５は、本発明装置の構成図を示したものである。図５において、５００は、本発明の一実施例である、情報記録及び／又は再生装置を示す。５０１は、システム制御回路を示し、CPUや、メモリを含み、システム全体を制御する。５０２は、コマンド解析変換回路を示し、標準化されているリムーバブルハードディスク用の制御コマンドを解析し、光ディスクへアクセスするための変換を必要に応じて行う。５０３は、ATA I/F回路を示し、外部ATA I/Fである５０４を経由して接続される外部装置とのインタフェースのための回路である。５０５は、ファイルシステム変換回路を示し、外部装置で利用されるファイルシステムと、光ディスクで使用されるファイルシステムが異なる場合に、双方での互換を保つための変換処理を行う。５０６は、記録媒体制御回路で、光ディスク５０７へのデータ書き込み、読み出しと言った処理を行う。
【００２１】
以下、本発明の一実施例である、情報記録及び／又は再生装置５００において、情報を記録再生するためのアクセス手順について説明する。
【００２２】
図６は、本発明装置における、データアクセスのフロー図である。図６において、６００にて、ATA I/F回路５０３が、外部ATA I/F５０４からのアクセス信号を受信する。続いて、６０１では、システム制御回路５０１が、この受信情報から、コマンド解析変換回路５０２にてアクセスコマンドを解析し、必要に応じて変換を行う。次に、６０２では、システム制御回路５０１が、ファイルシステム変換回路５０５にて、要求元ファイルシステム用にシステム情報（光ディスク５０７の記録情報）を更新する。あるいは、このステップにて、汎用的に利用できるように、仮想ファイルシステム情報を構築して、外部と光ディスク５０７とのインタフェースを、汎用性の高いものにしても良い。最後に、６０３では、上記処理結果を利用し、システム制御回路５０１が、記録媒体制御回路５０６にて、光ディスク５０７へデータ書き込み、読み出しを行う。
【００２３】
以上によって、標準化されたリムーバブルハードディスクドライブのインタフェースで、別途標準化された光ディスク媒体を扱うことができる、情報記録及び／又は再生装置を実現できる。
【００２４】
また、本実施例の情報記録及び／又は再生装置は、光ディスクを固定するクランパのサイズを標準的なもので実現し、多種の標準的な光ディスクを利用できるようになるばかりでなく、構造的にも既存の部品や技術を利用できる部分も多く、安価に実現できる利点がある。
【００２５】
また、光ディスクの直径を65mmから70mmにすることで、必要十分な容量を確保した記録媒体を採用することで、使い勝手が向上する利点がある。
【産業上の利用可能性】
【００２６】
リムーバブルハードディスク対応機器において、従来別途専用の光ディスクドライブを装備しなければ実現できない機能の実現用途に適用できる。
【図面の簡単な説明】
【００２７】
【図１】本発明装置のカートリッジの説明図である。
【図２】本発明装置のカートリッジの機器での装着形態を説明した図である。
【図３】本発明装置のカートリッジと、光ディスクの装填形態を説明した図である。
【図４】本発明装置で扱う小径光ディスクの画質モードと記録時間を説明した図である。
【図５】本発明装置の一実施例の構成を説明した図である。
【図６】本発明装置のデータアクセス手順を説明した図である。
【符号の説明】
【００２８】
１００    カートリッジ
１０１    小径光ディスク
１０２    コネクタ
１０３    基板
１０４    シャーシ
１０５    ピックアップ
１０６    クランパ
【図１】
2005310294.tif 000003
【図２】
2005310294.tif 000004
【図３】
2005310294.tif 000005
【図４】
2005310294.tif 000006
【図５】
2005310294.tif 000007
【図６】
2005310294.tif 000008